(57)【要約】【課題】ニュース速報などのテロップを検出し、その検出結果に基づいて、予め指定した所定の放送番組（放送チャンネル）などを自動的に表示する使い勝手を向上させた表示装置を提供する。【解決手段】表示装置１の表示部１６に緊急情報としてのテロップが表示されたか否かを判別するテロップ検出部３１を備える。テロップが表示部１６に表示されたことをテロップ検出部３１が判別し、その判別結果に基づいて、制御手段１が、表示部１６に表示されている視聴中以外の他の放送を自動的に表示する。これにより、ユーザが情報取得したい嗜好の放送が視聴でき、且つ自動的に視聴中以外の他の放送が表示部１６に表示されることにより、ユーザは他の放送で表示されるテロップの情報をも得ることが可能となる。【選択図】図１
2008060798.tif 000002
【特許請求の範囲】
【請求項１】
デジタル放送を受信するチューナー部と、該チューナー部で受信したデジタルデータを表示する表示部を備えた表示装置であって、緊急情報としてのテロップが前記表示部に表示されたか否かを判別するテロップ検出部を備え、前記テロップが前記表示部に表示されたことを前記テロップ検出部が判別し、前記テロップが前記表示部に表示された判別結果に基づいて、予め設定しておいた視聴中以外の他の放送を前記表示部に自動的に表示する制御手段を備えたことを特徴とする表示装置。
【請求項２】
デジタル放送を受信するチューナー部と、該チューナー部で受信したデジタルデータを表示する表示部を備えた表示装置であって、前記表示部の全体に通常放送が表示されている状態で、緊急情報としてのテロップが前記表示部に表示された際、前記表示部に前記テロップを表示したことをテロップ検出部が判別し、前記テロップが前記表示部に表示された判別結果に基づいて、前記通常放送と該通常放送と異なる他の放送とを、前記表示部に複数画面で同時に表示する制御手段を備えたことを特徴とする表示装置。
【請求項３】
デジタル放送を受信するチューナー部と、該チューナー部で受信したデジタルデータを表示する表示部と、予め指定した時間に通常放送と異なる他の放送を前記表示部に表示するための設定をする時間設定部と、前記通常放送及び該通常放送と異なる他の放送とを複数画面で前記表示部に表示する表示切替部と、を備えた表示装置であって、前記表示部の全体に通常放送が表示されている状態で、緊急情報としてのテロップが前記表示部に表示された際、前記表示部に前記テロップを表示したことをテロップ検出部が判別し、前記テロップが前記表示部に表示された判別結果と、前記時間設定部で設定した時間に基づいて、前記表示部に前記通常放送を表示した状態で、前記通常放送と異なる他の放送番組を、前記時間設定部で設定された時間に前記表示部に自動的に表示する制御手段を備えたことを特徴とする表示装置。
【発明の詳細な説明】
【技術分野】
【０００１】
本発明は、デジタル放送を受信して映像を表示する表示装置に関し、特にデジタル放送受信時に表示されたテロップを検出し、この検出したテロップに基づき、所定のチャンネルの放送を表示する表示装置に関する。
【背景技術】
【０００２】
近年、地上デジタル放送の放送エリアが、首都圏の他、各地域に段階的に拡大され普及してきている。こうしたデジタル放送は、従来のアナログ放送から移行することにより、ハイビジョン放送などの高画質放送や、放送番組の多チャンネル化、データ放送などが行なわれている。そして、地上デジタル放送を受信するには、デジタルチューナーが用いられ、テレビに内蔵されたデジタルチューナーによって、映像や音声信号の他、テレビ画面に文字を表示するための信号などがデジタルデータとして受信されるようになっており、例えば、臨時ニュース、地震情報、選挙速報などの緊急情報が、テレビ画面にテロップとして表示される場合には、その表示される文字色が白色で表示されることが一般的となっている。
【０００３】
ところで、特許文献１においては、放送局から送信される種々の音色が混在する音声信号から、アラーム音の周波数成分を抽出し、その抽出した成分が、予め定めた閾値を上回り且つある一定のパターンと同一か否かを判別させ、この判別結果に基づき、臨時ニュースや地震情報などの緊急情報を受信したことを認識させ、さらに、テレビ画面上のテロップ領域における走査線内の信号が、予め登録されている臨時ニュース、地震情報、選挙速報などの白色信号パターンに該当するか判定し、予め登録しておいた白色信号パターンであると判別した際、緊急情報がテレビ画面上にテロップとして表示されたことを認識する携帯電話端末が開示されている。
【０００４】
【特許文献１】特開２００５−１１７５８４号公報
【発明の開示】
【発明が解決しようとする課題】
【０００５】
しかし、特許文献１においては、緊急情報を受信したことを認識するための判別をアラーム音の周波数成分に基づき行なっているので、例えば、ニュース速報などの緊急情報が、アラーム音が鳴らないで、テレビ画面に表示される場合もあることから、そのような場合、ユーザは緊急情報がテレビ画面に表示されたことを把握できないことがある。さらに、緊急情報のテレビ画面への表示と共に鳴るアラーム音は、放送局の違いによりそれぞれ異なるため、アラーム音を判別できるように、装置に予め信号パターンを登録しておく必要があり、デジタル放送の普及に伴い、数十チャンネル、数百チャンネルの全ての放送を受信することが当たり前になりつつある現在では、チャンネル数や放送局等の数に応じて、信号パターンを装置に予め登録設定することは現実的ではない。また、緊急情報がテレビ画面上にテロップとして表示されたことを認識できた場合であっても、ニュース速報などの緊急情報の詳細を詳しく知りたいというニーズに対応できていない。
【０００６】
本発明は上記課題に鑑みてなされたものであり、ニュース速報などのテロップの検出結果に基づいて、予め指定したチャンネルの所定の放送番組などを自動的に表示することが可能な使い勝手を向上させた表示装置を提供することを目的とする。
【課題を解決するための手段】
【０００７】
請求項１に係る表示装置は、デジタル放送を受信するチューナー部と、該チューナー部で受信したデジタルデータを表示する表示部を備えた表示装置であって、緊急情報としてのテロップが前記表示部に表示されたか否かを判別するテロップ検出部を備え、前記テロップが前記表示部に表示されたことを前記テロップ検出部が判別し、前記テロップが前記表示部に表示された判別結果に基づいて、予め設定しておいた視聴中以外の他の放送を前記表示部に自動的に表示する制御手段を備えたことを特徴とする。
【０００８】
請求項２に係る表示装置は、デジタル放送を受信するチューナー部と、該チューナー部で受信したデジタルデータを表示する表示部を備えた表示装置であって、前記表示部の全体に通常放送が表示されている状態で、緊急情報としてのテロップが前記表示部に表示された際、前記表示部に前記テロップを表示したことをテロップ検出部が判別し、前記テロップが前記表示部に表示された判別結果に基づいて、前記通常放送と該通常放送と異なる他の放送とを、前記表示部に複数画面で同時に表示する制御手段を備えたことを特徴とする。
【０００９】
請求項３に係る表示装置は、デジタル放送を受信するチューナー部と、該チューナー部で受信したデジタルデータを表示する表示部と、予め指定した時間に通常放送と異なる他の放送を前記表示部に表示するための設定をする時間設定部と、前記通常放送及び該通常放送と異なる他の放送とを複数画面で前記表示部に表示する表示切替部と、を備えた表示装置であって、前記表示部の全体に通常放送が表示されている状態で、緊急情報としてのテロップが前記表示部に表示された際、前記表示部に前記テロップを表示したことをテロップ検出部が判別し、前記テロップが前記表示部に表示された判別結果と、前記時間設定部で設定した時間に基づいて、前記表示部に前記通常放送を表示した状態で、前記通常放送と異なる他の放送番組を、前記時間設定部で設定された時間に前記表示部に自動的に表示する制御手段を備えたことを特徴とする。
【発明の効果】
【００１０】
請求項１に係る表示装置によれば、デジタル放送を受信するチューナー部と、該チューナー部で受信したデジタルデータを表示する表示部を備えた表示装置であって、緊急情報としてのテロップが前記表示部に表示されたか否かを判別するテロップ検出部を備え、前記テロップが前記表示部に表示されたことを前記テロップ検出部が判別し、前記テロップが前記表示部に表示された判別結果に基づいて、制御手段が、予め設定しておいた視聴中以外の他の放送を前記表示部に自動的に表示することが可能となり、ユーザが情報取得したい嗜好の放送が視聴でき、且つ自動的に視聴中以外の他の放送が表示部に表示されることにより、この他の放送で表示されるテロップの情報をも得ることが可能となる。
【００１１】
請求項２に係る表示装置によれば、デジタル放送を受信するチューナー部と、該チューナー部で受信したデジタルデータを表示する表示部を備えた表示装置であって、前記表示部の全体に通常放送が表示されている状態で、緊急情報としてのテロップが前記表示部に表示された際、前記表示部に前記テロップを表示したことをテロップ検出部が判別し、前記テロップが前記表示部に表示された判別結果に基づいて、制御手段が、前記通常放送と該通常放送と異なる他の放送とを、前記表示部に複数画面で同時に表示するので、現在視聴中などの通常放送の番組視聴を中断することなく現状のまま視聴を継続し、さらにユーザが情報取得したい通常放送と異なる他の放送番組が同時に視聴できるので、通常放送で見たい番組を視聴しながら他の放送で種々の詳細な情報が得られる。
【００１２】
請求項３に係る表示装置によれば、デジタル放送を受信するチューナー部と、該チューナー部で受信したデジタルデータを表示する表示部と、予め指定した時間に通常放送と異なる他の放送を前記表示部に表示するための設定をする時間設定部と、前記通常放送及び該通常放送と異なる他の放送とを複数画面で前記表示部に表示する表示切替部と、を備えた表示装置であって、前記表示部の全体に通常放送が表示されている状態で、緊急情報としてのテロップが前記表示部に表示された際、前記表示部に前記テロップを表示したことをテロップ検出部が判別し、前記テロップが前記表示部に表示された判別結果と、前記時間設定部で設定した時間に基づいて、前記表示部に前記通常放送を表示した状態で、制御手段が、前記通常放送と異なる他の放送番組を、前記時間設定部で設定された時間に前記表示部に自動的に表示するので、ユーザの希望の時間に応じて情報を取得したい放送番組の視聴が可能であり、ユーザの使い勝手も向上できる。
【発明を実施するための最良の形態】
【００１３】
以下、本発明を実施するための最良の形態としての実施例を図１から図１０に基づき説明する。もちろん、本発明は、その発明の趣旨に反さない範囲で、実施例において説明した以外のものに対しても容易に適用可能なことは説明を要するまでもない。
【００１４】
図１は表示装置の構成を示すブロック図、図２は表示部にテロップが表示された状態を示す説明図、図３はテロップを構成する文字の１つを拡大した状態を示す説明図、図４はＹの閾値とＺの閾値との関係をグラフで示した説明図、図５はパターン１における輝度をグラフで示した説明図、図６はパターン２における輝度をグラフで示した説明図、図７はパターン３における輝度をグラフで示した説明図、図８は表示部に表示される画面を示す説明図、図９はリモコンの操作でローテーションされる、「検出時表示」、「ＦＵＮＣＴＩＯＮキー押下げ時表示」、「ＣＭ開始時表示」を示す説明図、図１０は表示装置の動作を示すフローチャートである。
【００１５】
本実施例のテレビジョン受像機などの表示装置１は、図１に示すように、アンテナ１０からのデジタル放送信号を受信する第一チューナ部１２及び第二チューナー部１２Ａ、第一チューナ部１２及び第二チューナー部１２Ａで受信した映像等のデジタル信号を所定のデジタルデータに変換処理する映像処理部１３、映像処理部１３で変換された映像デジタルデータの出力を行なう映像出力部１５、映像出力部１５から出力されたデジタルデータを映像として表示する表示部１６、表示装置１の全体を制御するマイコンなどの制御手段としての制御部２０、制御部２０が利用する記録情報が格納されたＨＤＤ２１及びメモリ２２、リモコン受光部２３、表示装置１を直接操作するためのキー操作部２４、及び表示装置１をリモコン受光部２３を介して遠隔操作するリモコン２５を備え、前記制御部２０は、テロップ制御部３０、テロップ検出部３１、チャンネル設定部３２、表示制御部３３、時間設定部３４、時間計測部３５、音声検出部３６、文字変換部３７、表示切替部３８、文字判別部３９で構成されている。
【００１６】
次に、通常放送を視聴している状態で表示部に表示されるテロップの検出方法について以下に説明する。ニュース速報などの緊急情報のテロップはその特性上、バラエティ番組で使用されるような奇抜な色文字は使用されず、白い文字が短い時間（例えば３秒間）に二度（複数回）点滅するのが特徴となっており、さらに、背景色が、前記白い文字と同色である白の場合を考慮して白文字の周縁部が黒で縁取りがされている。
【００１７】
また、ニュース速報等の緊急情報のテロップが表示部１６に表示されたことを判別する条件としては、以下の４つの条件の少なくとも何れか１つ、或いは全てを満たすことで判別するものとする。なお、以下に示す矢印は、閾値の変化を表している。
【００１８】
第一の条件としては、白色あるいは黒色の最低どちらかの一方の閾値の条件を満たすことである。例えば、（１）輝度をＸとし、表示部１６に表示されているテロップの現在の輝度（今回の場合はテレビ画面である表示部１６の上部の背景に空の色である青色が表示されているものとする。）をＡとし、白の閾値をＹとする。このとき、Ｘ＝Ａ→Ａ’（Ａ’≧Ｙ）に変化するとテロップ検出部３１がその変化を検出する。或いは、（２）黒の閾値をＺとした場合には、Ｘ＝Ａ→Ａ’（Ａ’≦Ｚ）に変化したことをテロップ検出部３１が検出する。そして、こうした検出により、仮に表示部１６に表示された背景の色が青でなく黒であれば（１）で検出可能となり、仮に背景色が白であれば（２）で検出可能となる。また、背景色が、黒と白以外の色、例えば青であれば（１）、（２）の両条件を満たすことで検出可能となる。
【００１９】
第二の条件としては、テロップ検出部３１が規定時間以内（例えば３秒以内）に２度（もしくは複数回）輝度がＹ（白の閾値）以上、或いはＺ（黒の閾値）以下になることで、点滅していることを判別することである。
【００２０】
第三の条件としては、表示部１６の画面上部以外では、その輝度変化を示さないことである。つまり画面の一定の閾値より高い箇所、例えば画面の１／３以上の上部において、図４のグラフで示すとすれば、Ｙの閾値以上であることの条件を満たしているかを、テロップ検出部３１が検出することである。これは一般的にテロップの表示においては、表示部１６に表示される文字とオンスクリーンディスプレイとの重複表示を避けるためである。
【００２１】
第四の条件としては、一定ドット数以上が閾値を満たすことである。これはドットの集合体で構成される文字を目立つように表示部１６に表示する必要があるため一定ドットは点滅するからである。
【００２２】
さらに、図面に基づいて説明する。図２（ａ）は、テレビ画面としての表示部１６に通常の放送番組を表示した状態を示す説明図である。同図に示すように、通常の放送番組を表示している状態において、例えば、地震情報などの緊急情報を、テロップとして表示部１６に「ＦＺＺニュース速報」を表示した状態（図２（ｂ）に示した状態）においては、テロップの各文字が白色部を有すると共に、その周縁部に黒色部を有している。なお、図３は「ＦＺＺニュース速報」の文字の内、「Ｆ」を拡大して表示したものであり、「ＦＺＺニュース速報」の各文字は、それぞれ、矩形状の１ドット毎に色が付されており、「Ｆ」の文字の白色部の周縁部に黒色部を有している。
【００２３】
図４は、縦軸に輝度Ｘ，横軸に時間Ｔを示したグラフであり、白色部の閾値をＹ、黒色部の閾値をＺとして以下に説明する。前記「Ｆ」の白色部がＹの閾値を上回ると、テロップ検出部３１は表示部１６に表示されたテロップの白色部が白色であると検出及び判別すると共に、前記黒色部がＺの閾値を下回ると、テロップ検出部３１は表示部１６に表示されたテロップの黒色部が黒色であると検出及び判別する。なお、図４のグラフにおいて、Ｙの閾値が最大（∞）であれば真っ白、Ｚの閾値が０であれば真っ黒と認識される。
【００２４】
次に、表示部１６の画面の背景色が青色の状態で、テロップが表示される場合について、図５に示すパターン１により説明する。
【００２５】
図５（ａ）では、テロップが表示されていない状態なので、背景色に対応した青色の輝度Ｘ＝Ａのままとなっている。
【００２６】
図５（ｂ）では、テロップ検出部３１がニュース速報のテロップが出ていないときの輝度Ａを、青色と検出及び判別している状態において、テロップが表示部１６の画面に２回点滅して表示されると、表示されたテロップの黒色部の輝度が、Ｚの閾値を２回下回ることで、テロップ検出部３１は黒色であると検出及び判別する。
【００２７】
図５（ｃ）では、テロップ検出部３１がニュース速報のテロップが出ていないときの輝度Ａを、青色と検出及び判別している状態において、テロップが表示部１６の画面に２回点滅して表示されると、表示されたテロップの白色部の輝度が、Ｙの閾値を２回上回ることで、テロップ検出部３１は白色と検出及び判別する。
【００２８】
つまり、表示部１６にテロップが表示されていない状態から、テロップが表示部１６の画面に表示されると、白色部の輝度と黒色部の輝度が、前者は予め設定しておいたＹの閾値を上回ると共に後者はＺの閾値を下回ることにより、テロップ検出部３１が検出及び判別する。
【００２９】
次に、表示部１６の画面の背景色が黒色の状態でテロップが表示される場合について、図６に示すパターン２により説明する。
【００３０】
図６（ａ）では、テロップが表示部１６に表示されていない状態なので、背景色に対応した黒色の輝度Ｘ＝Ｂのままとなっている。
【００３１】
図６（ｂ）では、ニュース速報のテロップが、表示部１６に表示されているとき及び表示されていないときの輝度Ｂが、共にＺの閾値を下回っており、輝度Ｂが、Ｚの閾値を下回っていれば、輝度Ｂに変化があっても、テロップが表示部１６に２回点滅して表示されるどちらの状態であっても、テロップ検出部３１は、Ｚの閾値の検出には関与しない。
【００３２】
また、図６（ｃ）では、テロップ検出部３１がニュース速報のテロップが出ていないときの輝度Ｂを、青色と検出及び判別している状態において、テロップが表示部１６に２回点滅して表示されると、表示されたテロップの白色部の輝度が、Ｙの閾値を２回上回ることで、テロップ検出部３１は白色と検出及び判別する。
【００３３】
次に、テレビ画面の背景色が白色の状態でテロップが表示される場合について、図７に示すパターン３により説明する。
【００３４】
図７（ａ）では、テロップが表示部１６に表示されていない状態なので、背景色に対応した白色の輝度Ｘ＝Ｃのままとなっている。
【００３５】
図７（ｂ）では、ニュース速報のテロップが、表示部１６に表示されていないときの輝度Ｃが、Ｙの閾値を上回るので、テロップ検出部３１が白色であると検出及び判別するが、テロップが表示部１６に表示されているときには、輝度ＣはＺの閾値を下回っているので、テロップ検出部３１は黒色であると検出及び判別する。
【００３６】
図７（Ｃ）では、ニュース速報のテロップが、表示部１６に表示されているとき及び表示されていないときの輝度Ｃが、共にＹの閾値を上回っており、輝度Ｃが、Ｙの閾値を上回っていれば、輝度Ｃに変化があっても、テロップが表示部１６に２回点滅して表示されるどちらの状態であっても、テロップ検出部３１はＹの閾値の検出には関与しない。
【００３７】
以上のように、パターン１，２，３のいずれの場合でも、テロップとして表示された文字の黒色部または白色部の内のどちらか一つの閾値の判別結果に基づいて、テロップが表示部１６に表示されたことをテロップ検出部３１が検出する。これにより、表示部１６にニュース速報などのテロップを確実に検出でき、さらに、検出したテロップに基づき、制御部２０が、ユーザが予め設定した、例えば所定の放送局のデータ放送を表示部１６に表示させるといった動作を表示制御部３３が行う。よって、民間の放送を視聴している際、例えば、地震などが起こったことにより、緊急情報が、表示部１６の画面にテロップとして表示された際、このテロップの表示がテロップ検出部３１で検出され、この検出結果に基づき、他のデータ放送（公共放送、或いは、緊急情報のみを行なっている放送チャンネルなど）に、制御部２０の表示制御部３３が自動的に切り替えて、ユーザが切り替えられた（変更された）他のデータ放送を視聴することが可能となるので利便性が良い。また、時間帯によって最もテロップに関する情報量の多いデータ放送に自動的に切り替えることも可能である。なお、ここで、時間帯によって最もテロップに関する情報量の多いデータ放送に自動的に切り替られることを、より具体的に説明すると、例えば、日中においては、地震情報などは公共放送の方が常に放送していたりするものの、その一方で、深夜３時になると公共放送の放送は終了してしまうため、ＮＮＮ２４などの２４時間中ニュースの放送を行なっているデータ放送へと表示制御部３３が自動的に切り替えることである。なお、本実施例における表示部１６に表示されるテロップは、通常のテロップとは異なり、放送局独自の判断で特に緊急性があると判断された場合に表示されるニュース速報などであるが、特に緊急性を要するものでなくてもよい。
【００３８】
次に、テロップが検出された際に、予めチャンネル指定した放送の番組が、表示部１６に表示される一例について、図８に基づき以下に説明する。
【００３９】
図８の（ａ）は表示部１６に表示されるメニュー画面、図８の（ｂ）はメニュー画面に表示された「表示設定」を選択した際に表示部１６表示される表示設定画面、図８の（ｃ）は表示設定画面に表示された「表示チャンネル設定」を選択した際に表示部１６表示される表示チャンネル設定画面、図８の（ｄ）は表示チャンネル設定画面に表示された「表示詳細設定」を選択した際に表示部１６表示される表示詳細設定画面、図８の（ｅ）は表示詳細設定画面に表示された「認識文字」を選択した際に表示部１６表示される認識文字設定画面であり、これらの画面における選択設定により、テロップが検出された際に予めチャンネル指定したデータ放送の番組の映像が表示部１６に表示されるようになる。
【００４０】
リモコン２５の操作により、メニュー画面、表示設定画面、表示チャンネル設定画面の順に画面を選択することで、例えば、表示部１６に表示された表示チャンネル設定画面においては、「テロップを検出後の表示チャンネル設定」の側部に対応して表示されたＯＮとＯＦＦの切り替えにより、ＯＮを選択した際には、テロップ検出部３１でテロップが検出された際に、ユーザが予めチャンネル指定した放送の番組が表示部１６に表示される。その一方で、ＯＦＦを選択した際には、テロップが検出されることはないので何ら機能しない。
【００４１】
図８の（ｃ）の表示チャンネル設定画面において、テロップが検出されたことに基づいて表示部１６に表示される番組を設定する際の例を、さらに説明すると、まず、図８の（ｃ）における表示チャンネル設定画面では、リモコン２５の操作により、表示したい曜日／時刻やチャンネルを選択することができるようになっている。「曜日／時刻」を選択設定するときには、曜日だけの選択設定や、時刻を含めた曜日、時刻だけの選択設定なども可能である。例えば、時刻を含めた曜日、あるいは時刻だけを選択設定した場合には、切り替えられる（変更される）チャンネルの開始時間を選択設定した後その終了時間をも順次選択設定することが可能となっていて、曜日だけの選択設定をした場合では、チャンネルを変更したい曜日を選択することが可能となっている。なお、「チャンネル放送局」の項目では、指定時間に、予め指定した変更したいチャンネルのデータ放送を選択することができる。以下に、具体例を説明する。
【００４２】
例えば、図８の（ｃ）における表示チャンネル設定画面において、同図に示すように、「時刻１」にて、これに対応する右側の項目で「月−土５：００−２３：００  ＣＨ３  ＯＮ」と設定すれば、月曜日から土曜日の各々の朝５時〜夜２３時の間に、テロップ検出部３１がテロップを検出した場合に、表示部１６に表示されている、例えば、視聴状態にある民間放送などの放送番組を、チャンネル３（ＣＨ３）の公共放送に対応するチャンネルへと表示を変更する。
【００４３】
「時刻２」にて、これに対応する右側の項目で「月−土２３：００−５：００  ＣＨ３  ＯＮ」と設定すれば、月曜日から土曜日の各々の夜２３時〜朝５時の間に、テロップ検出部３１がテロップを検出した場合に、表示部１６に表示されている、視聴状態にある民間放送などの放送番組を、チャンネル８（ＣＨ８）のＮＮＮ２４の放送へと表示を変更する。
【００４４】
「時刻３」にて、これに対応する右側の項目で「日曜日ＣＨ９  ＯＮ」と設定すれば、日曜日の０：００−２４：００の間に、テロップ検出部３１がテロップを検出した場合に、表示部１６に表示されている視聴状態にある放送番組を、チャンネル９（ＣＨ９）の公共放送  ＢＳに対応するチャンネルへと表示を変更する。
【００４５】
なお、「時刻４」に示すように、これに対応する右側の項目で「ＡＬＬ  ＣＨ  現在のＣＨ−−−  ＯＦＦ」と設定すれば、表示部１６に表示されている、視聴状態にある放送番組の表示の変更はなされない。
【００４６】
次に、図８の（ｄ）の表示詳細設定画面について以下に説明する。この表示詳細設定画面においては、表示部１６に表示される画面形態の種類を選択することができるようになっており、同図に示す「表示画面設定」に対応する右側の項目で、「２画面表示」或いは「画面全体表示」、のどちらかを選択できるようになっている。なお、リモコン２５の操作によるどちらかの選択により、ユーザは自由に所定の画面形態の種類を選択した表示をすることができる。
【００４７】
前記「２画面表示」及び「画面全体表示」について、以下にさらに説明する。図８の（ｄ）にて、図示しない「画面全体表示」を選択し、その右側のＯＮとＯＦＦの項目でＯＮを選択した場合においては、テロップ検出部３１がテロップを検出した場合、表示部１６の全体に表示されている視聴中の放送番組を、表示制御部３３が予め選択設定されたチャンネルの放送番組へと切り替え表示部１６の全体に表示する。
【００４８】
一方、「２画面表示」を選択し、その右側のＯＮとＯＦＦの項目でＯＮを選択した場合においては、表示部１６の全体に表示されている視聴中の放送番組の画面を親画面とすれば、表示切替部３８が、表示部１６に表示されている親画面上に、この親画面とは別に、予め指定したチャンネルの放送番組が子画面として表示し、これら複数の画面が表示部１６に同時に表示される。なお、親画面上に、子画面が表示されても、引き続き、視聴中の放送番組の画面が表示され続ける。また、「２画面表示」を選択し、その右側のＯＮとＯＦＦの項目でＯＮを選択した場合においては、テロップ検出部３１がテロップを検出した場合に、視聴中のチャンネルを第一チューナー部１２にて選局されている状態で、子画面に対応するチャンネルは、表示制御部３３がもう一方の第二チューナー部１２Ａで選局を行い、２画面の多画面表示（複数画面表示）や、いわゆるＰＩＮＰ（Ｐｉｃｔｕｒｅ  Ｉｎ  Ｐｉｃｔｕｒｅ）表示などを行なうこともである。なお、ＰＩＮＰ表示時の場合、通常は視聴しているチャンネルの放送をメイン画面として大きく表示し、前記子画面に相当するサブ画面は、メイン画面より小さく表示することを表示制御部３３が行うが、ユーザのリモコン２５の操作により、サブ画面を大きく表示し、メイン画面を小さく表示することなども表示制御部３３が制御を行う。
【００４９】
次に、図８の（ｄ）の表示詳細設定画面の「表示タイミング設定」について以下に説明する。この「表示タイミング設定」で、この「表示タイミング設定」に対応する右側の項目で、後述する「検出時表示」、「ＦＵＮＣＴＩＯＮキー押下げ時表示」、「ＣＭ開始時表示」の三者を選択できるようになっている。なお、図９に示すように、これら３者の選択は、リモコン２５による選択操作でローテーションできるようになっており、ユーザは自由に選択することができる。
【００５０】
次に、前記「検出時表示」、「ＦＵＮＣＴＩＯＮキー押下げ時表示」、及び「ＣＭ開始時表示」について以下にさらに説明する。
【００５１】
図８の（ｄ）の表示詳細設定画面の「表示タイミング設定」で「検出時表示」を選択し、その右側のＯＮとＯＦＦの項目でＯＮを選択した場合においては、通常放送の視聴中に、テロップ検出部３１によるテロップの検出の際には、表示制御部３３が予め指定したチャンネルの放送を表示部１６に表示する。
【００５２】
また、「ＦＵＮＣＴＩＯＮキー押下げ時表示」を選択した際には、「検出時表示」の選択と同様に、ＯＮを選択した場合においては、テロップ検出部３１によりテロップが検出された際、視聴中の通常放送を表示部１６に表示し続け、リモコン２５における所定の特定キーが押された場合には、表示制御部３３が予め指定したチャンネルの放送番組を表示部１６に表示する。
【００５３】
また、「ＣＭ開始時表示」を選択した際には、「検出時表示」の選択と同様に、ＯＮを選択した場合においては、テロップ検出部３１でテロップが検出された際に、視聴中の番組が、モノラル音声かステレオ音声かを音声検出部３６が判別する。そして、ステレオ音声であった場合は、音声検出部３６がＣＭ中であると判別し、表示制御部３３が予め指定したチャンネルの放送番組を表示部１６に表示する。一方、モノラル音声であった場合は、音声検出部３６は視聴中の番組はＣＭ中でないと判別する。
【００５４】
また、「ＣＭ開始時表示」でＯＮを選択すると共に、図８の（ｄ）に示す表示詳細設定画面における「時間設定」で、「時間設定  １０分後」を選択し、且つその右側のＯＮとＯＦＦの項目でＯＮを選択した場合、テロップ検出部３１でテロップが検出された時間を時間設定部３４がマークし、このマークした時間からの経過時間を時間計測部３５がカウントする。時間をカウントして、前記「時間設定  １０分後」に該当する１０分の指定時間内に、ステレオ音声に変わった時には、音声検出部３６がステレオ音声であると判別したことに基づき、表示制御部３３が予め指定したチャンネルの放送番組を表示部１６に表示する。また、指定時間である１０分を過ぎた場合にはステレオ音声に変わらなかったとしても予め指定したチャンネルの放送番組が表示部１６に表示される。一方、ＯＦＦを選択した場合には、時間設定における１０分後などの時間は関係なく、音声検出部３６がステレオ音声であると判別することはない。
【００５５】
次に、図８の（ｄ）の表示詳細設定画面で「認識文字」を選択し、且つこの「認識文字」に対応する右側の項目で、リモコン２５の操作で「地震」などのワードを入力するとともに、さらに右側の項目で、ＯＮを選択する際について説明する。この場合には、文字判別部３９が入力されたワードを認識して特定し、文字判別部３９が、認識したワードとテロップに表示された文字とが同じであると判別（検出）したときに限り、表示制御部３３が予め指定したチャンネルの放送番組を表示部１６に表示する。より詳しくは例えば、図８の（ｄ）に示す「地震」というワードが入力された際には、テロップ検出部３１がテロップを検出したときに、そのテロップをメモリ２２に保存し、メモリ２２に保存されたた内容をパターン認識で解析し、文字判別部３９が図形を文字として認識する。そして、文字判別部３９が認識した文字と、ユーザがリモコン２５で入力した指定されているワード、すなわち「地震」とを比較し、一致するか否かを確認し判別する。この時、一致した場合には予め指定したチャンネルの放送番組が表示部１６に表示される。なお、「地震」などの文字の入力は、図８の（ｅ）に示す、五十音、数字、及びアルファベットが、一文字ずつ入力することで、「地震」などのワードの入力設定が可能となっている。なお、ワードの入力方法としては、例えば携帯電話のように、リモコン２５に構成される各数値キーに割り当てられたかな入力などにより簡単に入力でき、入力したワード確定後は、Ｅ２ＰＲＯＭなどの図示しない記憶部にワードテーブルとして記憶される。そして、ユーザが、リモコン２５の操作で記憶されたワードを選択した際には、ワードが記憶されているテーブルより文字を選択することができ、また、変換することも可能であり、任意のキーワードをさらに入力することもできる。
【００５６】
次に、図１０に基づき表示装置の動作を以下に説明する。同図に示すように、表示部１６に表示されている通常放送の番組視聴中（Ｓ１）には、テロップ検出部３１は、テロップが表示部１６にされたか否かを監視しており（Ｓ２）、テロップが表示されたことが検出されない際にはＳ１に戻る。一方、Ｓ２にて検出された際には、Ｓ３に進み、図８の（c）に示す表示チャンネル設定画面における「テロップを検出後の表示チャンネル設定」でＯＮが選択されていないときには、何ら変化なく表示部１６に表示された通常放送をそのまま視聴を継続できる（Ｓ４）。一方、Ｓ３でＯＦＦが選択されているときは、図８の（c）に示した、「時刻１」〜「時刻４」などの各時刻設定で表示されたチャンネルに対応する放送が表示部１６に表示され（Ｓ５）、続いて、Ｓ６で、図８の（d）に示した表示詳細設定画面の何れかの選択項目で、ＯＮが選択されていなければ、取得したチャンネルの放送が表示部１６に表示される（Ｓ７）。
【００５７】
また、Ｓ６において、図８の（d）に示した「表示画面設定」におけるＯＮとＯＦＦとの選択項目で、ＯＮが有るとき（選択されているとき）には（Ｓ８）、「表示画面設定」に対応する「画面全体表示」或いは「２画面表示」の表示形態で表示部１６に表示され（Ｓ９）、ＯＮが選択されていないときにはＳ８に戻る。
【００５８】
また、Ｓ６において、「表示タイミング設定」におけるＯＮとＯＦＦとの選択項目で、ＯＮが有るとき（選択されているとき）、例えば、「表示タイミング設定」に対応する「ＣＭ開始時表示」がＯＮであれば（Ｓ１９）、指定のタイミングであるＣＭ中に、予め指定したチャンネルの放送番組などが表示部１６に表示される（Ｓ２０）。
【００５９】
また、Ｓ１９にてＯＮが選択されてなく、さらに、図８の（ｄ）に示す表示詳細設定画面における「時間設定」で、「時間設定  １０分後」などの指定が有るとき（Ｓ２１）には、ステレオ音声に変わったことを判別する音声検出部３６が、ステレオ音声検出時に、予め指定したチャンネルの放送番組を表示部１６に表示する（Ｓ２２）。
【００６０】
また、Ｓ２１にて、「時間設定  １０分後」などの指定がないときには、１０分後などの設定時間後に予め指定したチャンネルの放送番組などが表示部１６に表示される（Ｓ２３）。
【００６１】
また、Ｓ６において、「認識文字」におけるＯＮとＯＦＦとの選択項目で、ＯＮが有るとき（選択されているとき）には（Ｓ２８）、入力されたワードとテロップに表示された文字とが同じであると検出したときに、予め指定したチャンネルの放送番組などが表示部１６に表示される（Ｓ２９）。
【００６２】
以上のように、本実施例における表示装置１は、デジタル放送を受信する第一，第二チューナー部１２，１２Ａと、これら第一，第二チューナー部１２，１２Ａで受信したデジタルデータを表示する表示部１６を備えた表示装置１に、緊急情報としてのテロップが表示部１６に表示されたか否かを判別するテロップ検出部３１を備え、テロップが表示部１６に表示されたことをテロップ検出部１６が判別し、テロップが表示部１６に表示された判別結果に基づいて、制御部２０の表示制御部３３が、予め設定しておいた視聴中以外の他の放送を表示部１６に自動的に表示することが可能となることで、ユーザが情報取得したい嗜好の放送が視聴でき、且つ自動的に視聴中以外の他の放送が表示部１６に表示されることにより、この他の放送で表示されるテロップの情報をも得ることが可能となる。
【００６３】
さらに、表示部１６の全体に通常放送が表示されている状態で、緊急情報としてのテロップが表示部１６に表示された際、表示部１６にテロップを表示したことをテロップ検出部３１が判別し、テロップが表示部１６に表示された判別結果に基づいて、制御手段２０が、通常放送とこの通常放送と異なる他の放送とを、表示部１６に複数画面で同時に表示するので、現在視聴中などの通常放送の番組視聴を中断することなく現状のまま視聴を継続でき、さらにユーザが情報取得したい通常放送と異なる他の放送番組が同時に視聴できるので、通常放送で見たい番組を視聴しながら他の放送で種々の詳細な情報が得られる。
【００６４】
しかも、デジタル放送を受信する第一，第二チューナー部１２，１２Ａと、これら第一，第二チューナー部１２，１２Ａで受信したデジタルデータを表示する表示部１６と、予め指定した時間に通常放送と異なる他の放送を表示部１６に表示するための設定をする時間設定部３４と、通常放送及びこの通常放送と異なる他の放送とを複数画面で表示部１６に表示する表示切替部３８とを表示装置１に備え、表示部１６の全体に通常放送が表示されている状態で、緊急情報としてのテロップが表示部１６に表示された際、表示部１６にテロップを表示したことをテロップ検出部３１が判別し、テロップが表示部１６に表示された判別結果と、時間設定部３４で設定した時間に基づいて、表示部１６に通常放送を表示した状態で、制御部２０が、通常放送と異なる他の放送番組を、時間設定部３４で設定された時間毎に表示部１６に自動的に表示するので、ユーザの希望の時間に応じて情報を取得したい放送番組の視聴が可能であり、ユーザの使い勝手も向上できる。
【図面の簡単な説明】
【００６５】
【図１】本発明の実施例における、表示装置の構成を示すブロック図である。
【図２】同上、表示部にテロップが表示された状態を示す説明図である。
【図３】同上、テロップを構成する文字の１つを拡大した状態を示す説明図である。
【図４】同上、Ｙの閾値とＺの閾値との関係をグラフで示した説明図である。
【図５】同上、パターン１における輝度をグラフで示した説明図である。
【図６】同上、パターン２における輝度をグラフで示した説明図である。
【図７】同上、パターン３における輝度をグラフで示した説明図である。
【図８】同上、表示部に表示される画面を示す説明図である。
【図９】同上、リモコンの操作でローテーションされる、「検出時表示」、「ＦＵＮＣＴＩＯＮキー押下げ時表示」、「ＣＭ開始時表示」を示す説明図である。
【図１０】同上、図１０は表示装置の動作を示すフローチャートである。
【符号の説明】
【００６６】
１  表示装置
１２  第一チューナー部（チューナー部）
１２Ａ  第二チューナー部（チューナー部）
１６  表示部
３１  テロップ検出部
２０  制御部（制御手段）
３４  時間設定部
３８  表示切替部
【図１】
2008060798.tif 000003
【図２】
2008060798.tif 000004
【図３】
2008060798.tif 000005
【図４】
2008060798.tif 000006
【図５】
2008060798.tif 000007
【図６】
2008060798.tif 000008
【図７】
2008060798.tif 000009
【図８】
2008060798.tif 000010
【図９】
2008060798.tif 000011
【図１０】
2008060798.tif 000012